(57)【要約】【課題】簡易に座の高さを調節することができる高座椅子を提供する。【解決手段】一人または複数の人が座るための座と、前記座の左右方向の両側に配されるアームレストと、前記座の左右方向の両側に配される、複数の脚とを具備する高座椅子であって、前記アームレストは、前記脚と別体の部材から構成され、前記脚は、上下方向に並べて設けられた複数の貫通孔を有し、前記座の所望の高さに対応する前記貫通孔に軸状の締結部材を挿通し、該締結部材により前記座と前記脚とを締結することにより、前記脚により前記座を前記所望の高さで支持させることを特徴とする高座椅子。【選択図】図１
2016049152.tif 000002
【特許請求の範囲】
【請求項１】
一人または複数の人が座るための座と、
前記座の左右方向の両側に配されるアームレストと、
前記座の左右方向の両側に配される、複数の脚とを具備する高座椅子であって、
前記アームレストは、前記脚と別体の部材から構成され、
前記脚は、上下方向に並べて設けられた複数の貫通孔を有し、
前記座の所望の高さに対応する前記貫通孔に軸状の締結部材を挿通し、該締結部材により前記座と前記脚とを締結することにより、前記脚により前記座を前記所望の高さで支持させることを特徴とする高座椅子。
【請求項２】
前記アームレストは、前記脚とともに同一の前記締結部材により前記座と締結されることを特徴とする請求項１記載の高座椅子。
【請求項３】
リクライニング可能な背を具備することを特徴とする請求項１または２記載の高座椅子。
【請求項４】
前記脚として、前記座の前側に配される前脚と、前記座の後側に配される後脚とがあり、
前記前脚及び前記後脚は、幅方向が前記座の前後方向に沿うように配される長板状部材から構成され、
前記後脚を構成する前記長板状部材の前記座の前後方向における最大幅が前記前脚を構成する前記長板状部材の前記座の前後方向における最大幅の１．２倍〜４倍であることを特徴とする請求項１乃至３いずれかに記載の高座椅子。
【発明の詳細な説明】
【技術分野】
【０００１】
本発明は、高座椅子に関し、特に、座の高さを簡易に調節することができる高座椅子に関する。
【背景技術】
【０００２】
従来、高さ調節が可能な事務用の椅子が広く使用されている。そのような事務用の椅子は、ガススプリング装置により椅子の高さ調節を行えるようにしたものが一般的である（特許文献１参照）。
【０００３】
ところが、ガススプリング装置を含む高さ調節機構を椅子に設けると椅子の重量が大きくなる。このため、主に家庭のリビングや和室、またはダイニングで使用される高座椅子（特許文献２参照）にそのような高さ調節機構を設けると、椅子の大きな重量により、床材を傷めたり、特に高齢者や女性による椅子の取り扱いが困難になったりすることが予想される。
【先行技術文献】
【特許文献】
【０００４】
【特許文献１】特開２０１１−１２２６３３号公報
【特許文献２】実用新案登録第３１５８２６６号公報
【発明の概要】
【発明が解決しようとする課題】
【０００５】
高座椅子は各家庭で様々な用途にあてられる。したがって、高座椅子の適切な高さは一概には決まらない。例えばダイニングで食事をとるのに使用する椅子の適切な高さは、リビングでテレビを視聴するのに使用する椅子の適切な高さよりも高いことが多い。
【０００６】
このため、各家庭でデザインなどが気に入って高座椅子を購入したときに、それを実際に部屋においてみると、その椅子の高さに適合する用途がなく、結局、その椅子を使わなくなってしまうことも考えられる。また、用途を決めて高座椅子を購入した場合にも、もう少し座が高いほうがいいとか、低いほうがいいとかの事情も実際に椅子を使ってみないとなかなか判明しない。以上のような事情を考慮すると、高座椅子を購入した後に、各家庭で、ある程度自由に椅子の高さを調節できることは、ユーザにとって非常に有用なことであるといえる。
【０００７】
本発明は、上記したような従来技術の問題点を解決すべくなされたものであって、簡易に座の高さを調節することができる高座椅子を提供することを目的としている。
【課題を解決するための手段】
【０００８】
請求項１記載の発明は、一人または複数の人が座るための座と、前記座の左右方向の両側に配されるアームレストと、前記座の左右方向の両側に配される、複数の脚とを具備する高座椅子であって、前記アームレストは、前記脚と別体の部材から構成され、前記脚は、上下方向に並べて設けられた複数の貫通孔を有し、前記座の所望の高さに対応する前記貫通孔に軸状の締結部材を挿通し、該締結部材により前記座と前記脚とを締結することにより、前記脚により前記座を前記所望の高さで支持させることを特徴とする高座椅子に関する。
【０００９】
請求項２記載の発明は、前記アームレストは、前記脚とともに同一の前記締結部材により前記座と締結されることを特徴とする請求項１記載の高座椅子。
【００１０】
請求項３記載の発明は、リクライニング可能な背を具備することを特徴とする請求項１または２記載の高座椅子。
【００１１】
請求項４記載の発明は、前記脚として、前記座の前側に配される前脚と、前記座の後側に配される後脚とがあり、前記前脚及び前記後脚は幅方向が前記座の前後方向に沿うように配される長板状部材から構成され、前記後脚を構成する前記長板状部材の前記座の前後方向における最大幅が前記前脚を構成する前記長板状部材の前記座の前後方向における最大幅の１．２倍〜４倍であることを特徴とする請求項１乃至３いずれかに記載の高座椅子。
【発明の効果】
【００１２】
請求項１に係る発明によれば、椅子の脚に上下方向に並べて設けられた複数の貫通孔のうち、所望の座の高さに対応する貫通孔を選択し、その貫通孔に軸状の締結部材（例えばボルト）を通し、その締結部材により座と脚を締結するだけで、座の高さを所望の高さにすることができる。したがって、座の高さを簡易に調節することができる。これにより、例えば高座椅子を各家庭で購入した後に座の高さを調節し、各家庭のときどきの事情に応じて最も望ましい用途に高座椅子をあてることが可能になる。したがって、高座椅子の利用性を高めることができる。
【００１３】
また、アームレストを脚とは別体の部材から構成することで、アームレストの座面からの高さは一定とし、座の高さだけを変えることができる。アームレストと脚とが一体的に形成されている場合（特許文献２参照）には、座の高さを変えると、無用にアームレストの座面からの高さが変わってしまう。本発明によれば、アームレストの座面からの高さは適切な高さで一定とし、座の高さだけを調節することができる。その結果、様々な用途に対して、座の高さとアームレストの高さの両方を適切なものにすることができる。したがって、高座椅子を使用したときの快適性を高めることができる。
【００１４】
請求項２に係る発明によれば、脚を座に組み付けるのと同一の締結部材（例えば同一のボルト）によりアームレストを座に固定することができる。このため、高座椅子の部品点数を少なくすることができる。また、高座椅子を組み立てるときに締結部材を締め付ける工程を少なくすることができる。よって、高座椅子の組み立てが簡単になる。
【００１５】
請求項３に係る発明によれば、背がリクライニング可能であることで、ユーザが、高座椅子の用途や状況に応じて、より好ましい姿勢で腰掛けることができる。これにより、高座椅子を使用したときの快適性を高めることができる。
【００１６】
請求項４に係る発明によれば、高座椅子の後脚による支持強度を集中的に大きくすることができる。これにより、例えば背の後方のリクライニングによりユーザの体重が後脚に集中する場合にも、ユーザの体重を効果的に支えることができる。その結果、重量の増大を最低限度に抑えて、十分な耐久性を高座椅子に与えることができる。また、後脚が座の前後方向に幅広であることで、後脚の下端部の後端を十分に座の後側に位置させることができる。これにより、背を後方にリクライニングしたときの高座椅子の後方への転倒を防止することが容易になる。
【図面の簡単な説明】
【００１７】
【図１】本発明の実施形態１に係る高座椅子の分解斜視図である。
【図２】実施形態１の高座椅子の正面図（ａ）及び側面図（ｂ）である。
【図３】実施形態１の高座椅子の上面図（ａ）及び底面図（ｂ）である。
【図４】座の高さを最も高くしたときの実施形態１の高座椅子の斜視図である。
【図５】座の高さを最も高くしたときの実施形態１の高座椅子の使用例を示す側面図である。
【図６】座の高さを最も低くしたときの実施形態１の高座椅子の斜視図である。
【図７】座の高さを最も低くしたときの実施形態１の高座椅子の使用例を示す側面図である。
【図８】背を折り畳んだときの実施形態１の高座椅子の側面図である。
【図９】本発明の実施形態２に係る高座椅子の分解斜視図である。
【図１０】実施形態２の高座椅子の正面図（ａ）及び側面図（ｂ）である。
【図１１】実施形態２の高座椅子の上面図（ａ）及び底面図（ｂ）である。
【図１２】座の高さを最も高くしたときの実施形態２の高座椅子の斜視図である。
【図１３】座の高さを最も低くしたときの実施形態２の高座椅子の斜視図である。
【図１４】座の高さの調節可能範囲を示す実施形態２の高座椅子の側面図である。
【図１５】背を折り畳んだ状態と、所定の角度範囲で背をリクライニングした状態とを示す、実施形態２の高座椅子の側面図である。
【発明を実施するための形態】
【００１８】
（実施形態１）
以下、本発明の高座椅子について、適宜図面を参照しながら説明する。
図１〜図３は、本発明の一実施形態に係る高座椅子の要部を示す図であって、図１は分解斜視図、図２は正面図（ａ）及び側面図（ｂ）、図３は上面図（ａ）及び底面図（ｂ）である。
【００１９】
本発明に係る高座椅子は、一人または複数の人が座るための座２と、座２の左右方向の両側に配されるアームレスト３と、座２の左右方向の両側に配される、複数（図示例では４つ）の脚４とを具備する。図示例の高座椅子１は、一人用の高座椅子であり、座２は一人が座るためのものである。アームレスト３は、脚４とは別体の部材から構成される。
【００２０】
脚４には座２の前側に配される前脚４Ａと、座２の後側に配される後脚４Ｂとがあり、それぞれ、上下方向に並べて設けられた複数の貫通孔５を有する。高座椅子１においては、座２の所望の高さに対応する貫通孔５に、軸状の締結部材の一例であるボルト６を挿通し、そのボルト６により座２と脚４とを締結することにより、脚４により座２を所望の高さで支持させる。また、高座椅子１には、後で詳しく説明するように、リクライニング可能な背７（背もたれ）を備えさせることができる。ボルト６は少なくとも先端部に雄ねじが形成されている。
【００２１】
座２の下側には、座２を支持するための２つの支持部材８が座２の前側と後側とに互いに平行に設けられている。２つの支持部材８は長板状であり、それぞれ幅方向を上下にし、座２の左右方向に沿って座２の下面に木ねじなどにより固定される。以下、座２の前側を単に前側（前方向）といい、座２の後側を単に後側（後方向）という。左右方向についても同様である。
【００２２】
２つの支持部材８は、座２の横幅と同程度の長さを有し、両端面に、ボルト６の雄ねじと螺合する図示しない雌ねじを有する孔（符号は付していない）が開口している。そのような雌ねじ孔が支持部材８の両端面に２つずつ開口している。
【００２３】
（座）
座２は、例えば芯材を含んだウレタンフォームを布により包んで形成される。座２の上面である座面には座り心地を良くするように凹部２ａなどを設けることができる。
【００２４】
（アームレスト）
アームレスト３は座２の左右方向の両側にあり、１つのアームレスト３は、肘掛け部３ａと、１つの束部３ｂと、アームレスト３の座２への取付強度を大きくするための取付補強部３ｃとを含んでいる。束部３ｂは、肘掛け部３ａの後端側で肘掛け部３ａを片端支持する。取付補強部３ｃは、束部３ｂの下部と結合される短冊板状の部材であり、幅方向を上下にし、座２の前後方向に沿って配される。
【００２５】
束部３ｂは、下部に２つのボルト挿通孔１１を有している。そのボルト挿通孔１１の数は支持部材８の両端面のそれぞれの雌ねじ孔の数（２つ）に対応している。取付補強部３ｃの前端側にも２つのボルト挿通孔１１が形成されている。取付補強部３ｃは後端側で束部３ｂの下部の前側端面に結合されている。肘掛け部３ａ、束部３ｂ及び補強部３ｃには木、または木目調の素材を含ませることができる。これにより、高座椅子１に木製の家具としての風趣を与えることができる。その結果、洋風及び和風によらず、高座椅子１を家庭に置くのに相応しいデザインにしやすくなる。なお、肘掛け部３ａの上部にはクッションなどを配することもできる。
【００２６】
（脚）
実施形態１の高座椅子１は、厚い長板状部材から構成される、２つの前脚４Ａ及び２つの後脚４Ｂを含む。２つの前脚４Ａ及び２つの後脚４Ｂは、幅方向を座２の前後方向に沿わせて座２の左右方向の両側に配される。１つの前脚４Ａと１つの後脚４Ｂとは短冊板状の連結部材９により上部で互いに連結される。その一対の前脚４Ａ及び後脚４Ｂは左右方向の一方で座２を支持する。同様に、他の１つの前脚４Ａと他の１つの後脚４Ｂとは短冊板状の連結部材９により上部で互いに連結される。その一対の前脚４Ａ及び後脚４Ｂは左右方向の他方で座２を支持する。
【００２７】
２つの後脚４Ｂは、脚部全体の十分な強度を確保するために、長板状の貫材１０により互いに連結される。貫材１０は、両端部を例えば木ねじにより２つの後脚４Ｂに固定される。座の高さ調節の際にも、そのような木ねじを取り外す必要がなく、４つの脚を貫材１０と２つの連結部材９とにより連結した状態のままで高さ調節を行うことができる。
【００２８】
２つの前脚４Ａ及び２つの後脚４Ｂには、それぞれ、厚み方向に各脚４を貫通する複数（図示例では５つ）の貫通孔５が、例えば一定のピッチで上下方向に並べて設けられる。それらの貫通孔５は、各脚４で高さを揃えるように設けられている。上記ピッチは目安として３ｃｍ程度である。
【００２９】
後脚４Ｂを構成する長板状部材の座２の前後方向における最大幅は、前脚４Ａを構成する長板状部材の座２の前後方向における最大幅の例えば１．２倍〜４倍である。より好ましくは、上記倍率は１．４倍〜３．５倍であり、さらに好ましくは、上記倍率は１．６倍〜３倍である。これにより、後脚４Ｂの強度を前脚４Ａの強度よりも大きくすることができ、背７が後方にリクライニングにされ、ユーザの体重が後脚側に集中した場合にも、ユーザの体重を効果的に支持することができる。その結果、高座椅子１の重量の増大を最低限度に抑えて、高座椅子１に十分な耐久性を付与することができる。また、後脚４Ｂが座２の前後方向に幅広であることで、後脚４Ｂの下端部の後端を十分に座２の後側に位置させることができる。これにより、ユーザが背を後方にリクライニングしたときの高座椅子１の後方への転倒を防止することが容易になる。
【００３０】
図４に、本発明の高さ調節機構により座を最も高くしたときの高座椅子の状態を示す。図示例では、各脚４の５つの貫通孔５のうちの上の２つの貫通孔５（５Ａ、５Ｂ）にそれぞれボルト６が挿通され、それらのボルト６が束部３ｂ及び取付補強部３ｃの各ボルト挿通孔１１に挿通され、２つの支持部材８の両端部の雌ねじ孔に螺合され、これにより、４つの脚４と、２つのアームレスト３と、座２とが締結されている。
【００３１】
座２を高くすることで、図５に示すように、座２の高さを、例えばユーザ１２がダイニングテーブル１４などで食事をとるのに適切な高さにすることができる。また、座２が高くなることで、ユーザ１２が高座椅子１から立ち上がることが容易になる。図５では、立ち上がりかけのユーザ１２と、立ち上がった後のユーザ１２とを、ともに実線により示している。
【００３２】
図６に、座２を最も低くしたときの状態を示す。図示例では、各脚４の５つの貫通孔５のうちの下の２つの貫通孔５（５Ｃ、５Ｄ）にそれぞれボルト６が挿通され、それらのボルト６が束部３ｂ及び取付補強部３ｃのボルト挿通孔１１に挿通され、２つの支持部材８の両端部の雌ねじ孔に螺合されて、４つの脚４と、２つのアームレスト３と、座２とが締結されている。上例では、４段階の座２の高さ調節が可能である。調節可能範囲は、貫通孔５のピッチをＰとすれば、Ｐ×３（＝５−２）である。本発明の高座椅子１の実施例では、座面の高さを、床から３３ｃｍ、３６ｃｍ、３９ｃｍ、４２ｃｍの４段階に調節可能にしている。
【００３３】
座２を低くすることで、図７に示すように、座２の高さを、例えばユーザ１２がリビングなどでくつろいだり、テレビを視聴したりするのに適切な高さにすることができる。このとき、背７をリクライニング可能にすることで、高座椅子１の使用の快適性を高めることができる。図示例では、５０度くらいの角度範囲で５段階にリクライニング可能にしている。図７では、背７の傾きが最も小さい状態と、背７の傾きが最も大きい状態とを実線により示している。４つの破線Ｌ１は、背７の傾きが最も小さいときを除く背７の後ろ面の傾きを示す。
【００３４】
また、図８に示すように、背７を下部で折り畳めるように構成することで、高座椅子１の全高を小さくすることができ、家庭内のより小さな空きスペースに高座椅子１を収納することができる。
【００３５】
（実施形態２）
以下、本発明の実施形態２を、図９〜図１５を参照して説明する。
図９〜図１１は、本発明の実施形態２に係る高座椅子の要部を示す図であって、図９は分解斜視図、図１０は正面図（ａ）及び側面図（ｂ）、図１１は上面図（ａ）及び底面図（ｂ）、である。なお、実施形態２の高座椅子において、実施形態１の高座椅子の各構成要素に対応する構成要素には、実施形態１で使用したのと同じ符号を付している。
【００３６】
実施形態２の高座椅子１Ａは、座２が複数の人が座れるように横長の長方形に形成されている。高座椅子１Ａにおいても、座２の左右方向の両側にアームレスト３と、複数（図示例では４つ）の脚４とが配される。また、アームレスト３は、脚４とは別体の部材から構成される。
【００３７】
脚４として、座２の前側に配される前脚４Ａと座２の後側に配される後脚４Ｂとを設けることができ、それぞれ、上下方向に並べて設けられた複数（図示例では８つ）の貫通孔５を設けることができる。高座椅子１Ａにおいても、座２の所望の高さに対応する貫通孔５に、軸状の締結部材の一例であるボルト６を挿通し、そのボルト６により座２と脚４とを締結することにより、脚４により座２を所望の高さで支持させる。また、高座椅子１Ａにも、後で詳しく説明するように、リクライニング可能な背７（背もたれ）を備えさせることができる。
【００３８】
座２の下側には、座２を支持するための２つの支持部材８を座２の前側と後側とに互いに平行に設けることができる。２つの支持部材８は長板状とし、それぞれ、幅方向を上下にし、座２の左右方向に沿って座２の下面に木ねじなどにより固定することができる。
【００３９】
２つの支持部材８は、座２の横幅と同程度の長さを有し、両端面に、ボルト６の雄ねじと螺合する図示しない雌ねじを有する孔（符号は付していない）が開口している。そのような雌ねじ孔が支持部材８の両端面に２つずつ開口している。
【００４０】
アームレスト３には、肘掛け部３ａと、２つの束部３ｂとを含ませることができる。２つの束部３ｂは、肘掛け部３ａを両端支持する。これにより、肘掛け部３ａの十分な支持強度を確保することができる。したがって、実施形態２においては、取付補強部は設けていない。
【００４１】
２つの束部３ｂは、それぞれ、下端側に２つのボルト挿通孔１１を有している。そのボルト挿通孔１１の数は支持部材８の両端面のそれぞれの雌ねじ孔の数（２つ）に対応している。肘掛け部３ａ及び２つの束部３ｂには木、または木目調の素材を含ませることができる。なお、肘掛け部３ａの上部にはクッションなどを配することもできる。
【００４２】
実施形態２の高座椅子１Ａも、厚い長板状部材から構成される、２つの前脚４Ａ及び２つの後脚４Ｂを含む。２つの前脚４Ａ及び２つの後脚４Ｂは、幅方向を座２の前後方向に沿わせて座２の左右方向の両側に配される。１つの前脚４Ａと１つの後脚４Ｂとは短冊板状の連結部材９により上部で互いに連結される。その一対の前脚４Ａ及び後脚４Ｂは左右方向の一方で座２を支持する。同様に、他の１つの前脚４Ａと他の１つの後脚４Ｂとは短冊板状の連結部材９により上部で互いに連結される。その一対の前脚４Ａ及び後脚４Ｂは左右方向の他方で座２を支持する。
【００４３】
１つの前脚４Ａと１つの後脚４Ｂの下には１つの水平部材１３が配され、それらの前脚４Ａ及び後脚４Ｂは、下端部で、上記水平部材１３により連結される。同様に、他の１つの前脚４Ａと他の１つの後脚４Ｂの下には他の１つの水平部材１３が配され、それらの前脚４Ａ及び後脚４Ｂは、下端部で、上記水平部材１３により連結される。水平部材１３は長板状であり、座２の前後方向に沿って床に置かれる。以上のように、水平部材１３を床と各脚４の下端部との間に介在させることで、座２に複数の人が座る場合にも、複数の人の重量により床材などが傷むのを防止することができる。
【００４４】
また、２つの水平部材１３は、脚部全体の十分な強度を確保するために、中央部で貫材１０により互いに連結される。
【００４５】
２つの前脚４Ａ及び２つの後脚４Ｂには、それぞれ、厚み方向に各脚４を貫通する複数（図示例では８つ）の貫通孔５が、例えば一定のピッチで上下方向に並べて設けられる。それらの貫通孔５は、各脚４で高さを揃えるように設けられる。上記ピッチは目安として３ｃｍ程度である。
【００４６】
後脚４Ｂは、前脚４Ａの例えば１．２倍〜４倍の支持強度を有する。より好ましくは、後脚４Ｂは前脚４Ａの１．４倍〜３．５倍の支持強度を有し、さらに好ましくは、後脚４Ｂは前脚４Ａの１．６倍〜３倍の支持強度を有する。後脚４Ｂの強度が前脚４Ａの強度よりも大きいことにより、背７が後方にリクライニングにされ、ユーザの体重が後脚側に集中した場合にも、ユーザの体重を効果的に支持することができる。その結果、高座椅子１Ａの重量の増大を最低限度に抑えて、高座椅子１Ａに十分な耐久性を付与することができる。
【００４７】
また、後脚４Ｂが座２の前後方向に幅広であることで、後脚４Ｂの下端部の後端を十分に座２の後側に位置させることができる。これにより、ユーザが背を後方にリクライニングしたときの高座椅子１の後方への転倒を防止することが容易になる。このとき、水平部材１３の後端を十分に座２の後側に位置させることで、ユーザが背を後方にリクライニングしたときの高座椅子１の後方への転倒を防止することがさらに容易になる。
【００４８】
図１２に、高座椅子１Ａの座２を最も高くしたときの状態を示す。図示例では、各脚４の８つの貫通孔５のうちの上の２つの貫通孔５（５Ａ、５Ｂ）にそれぞれボルト６が挿通され、それらのボルト６が２つの束部３ｂのボルト挿通孔１１に挿通され、各支持部材８の雌ねじ孔に螺合されて、４つの脚４と、２つのアームレスト３と、座２とが締結されている。
【００４９】
図１３に、高座椅子１Ａの座２を最も低くしたときの状態を示す。図示例では、各脚４の８つの貫通孔５のうちの下の２つの貫通孔５（５Ｃ、５Ｄ）にそれぞれボルト６が挿通され、それらのボルト６が２つの束部３ｂのボルト挿通孔１１とに挿通され、各支持部材８の雌ねじ孔に螺合されて、４つの脚４と、２つのアームレスト３と、座２とが締結されている。
【００５０】
各脚４が上下に並ぶ８つの貫通孔５を有し、２つのボルト６により脚４と座２にとを締結する場合には、図１４に示すように、座２の７段階の高さ調節が可能になる。調節可能範囲は、貫通孔５のピッチをＰとすれば、Ｐ×６（＝８−２）である。なお、図１４においては、７段階で座２を高さ調節したときのそれぞれの段階の座２と、アームレスト３と、背７とを実線により示している。本発明の高座椅子１Ａの実施例では、座面の高さを、床から２６ｃｍ、２９ｃｍ、３２ｃｍ、３５ｃｍ、３８ｃｍ、４１ｃｍ、４４ｃｍの７段階に調節可能にしている。
【００５１】
また、図１５に示すように、背７を下部で折り畳めるように構成することで、高座椅子１Ａの全高を小さくして、より小さな空きスペースに高座椅子１Ａを収納することができる。また、背７を、５０度くらいの角度範囲で何段階か（例えば３段階）にリクライニング可能に構成することで、高座椅子１Ａの使用の快適性を高めることができる。なお、図１５においては、背７を下部で折り畳んだ状態と、３段階でリクライニングさせた状態とを、ともに実線により示している。
【産業上の利用可能性】
【００５２】
本発明に係る高座椅子は、座の高さを、アームレストの高さを適切な高さに保ったまま調節できるので、様々な用途で快適な座り心地を実現することができる。
【符号の説明】
【００５３】
１    高座椅子
２    座
３    アームレスト
４    脚
５    貫通孔
６    ボルト（締結部材）
７    背（背もたれ）
８    支持部材
９    連結部材
１０    貫材
１１    ボルト挿通孔
１２    ユーザ
１３    水平部材
【図１】
2016049152.tif 000003
【図２】
2016049152.tif 000004
【図３】
2016049152.tif 000005
【図４】
2016049152.tif 000006
【図５】
2016049152.tif 000007
【図６】
2016049152.tif 000008
【図７】
2016049152.tif 000009
【図８】
2016049152.tif 000010
【図９】
2016049152.tif 000011
【図１０】
2016049152.tif 000012
【図１１】
2016049152.tif 000013
【図１２】
2016049152.tif 000014
【図１３】
2016049152.tif 000015
【図１４】
2016049152.tif 000016
【図１５】
2016049152.tif 000017